【手続補正書】
【提出日】平成16年10月28日(2004.10.28)
【手続補正１】
【補正対象書類名】明細書
【補正対象項目名】発明の名称
【補正方法】変更
【補正の内容】
【発明の名称】変位検出装置、レンズ鏡筒および撮像装置
【手続補正２】
【補正対象書類名】明細書
【補正対象項目名】特許請求の範囲
【補正方法】変更
【補正の内容】
【特許請求の範囲】
【請求項１】
変位検出装置において、
第１の軸を中心に回転するように手動操作可能なリング部材と、
第２の軸を中心に回転自在な出力軸と、
前記リング部材の回転を前記出力軸に伝達するギア部材と、
前記出力軸に固定され、前記第２の軸周りに異なる磁極を交互に着磁した着磁面を有する磁気スケールと、
前記磁気スケールの前記着磁面の磁気変化を検出する磁気センサと、
前記磁気スケールと前記磁気センサが所定の間隔となるように、前記磁気センサを固定するケーシング部材と、を備えることを特徴とする変位検出装置。
【請求項２】
前記磁気スケールおよび前記磁気センサを覆う磁気シールド部材をさらに備えることを特徴とする請求項１に記載の変位検出装置。
【請求項３】
前記第１の軸を中心に回転するように手動操作可能な第２のリング部材と、
第３の軸を中心に回転自在な第２の出力軸と、
前記第２のリング部材の回転を前記第２の出力軸に伝達する第２のギア部材と、
前記第２の出力軸に固定され、前記第３の軸周りに異なる磁極を交互に着磁した着磁面を有する第２の磁気スケールと、
前記第２の磁気スケールの前記着磁面の磁気変化を検出する第２の磁気センサと、
前記第２の磁気スケールと前記第２の磁気センサが所定の間隔となるように、前記第２の磁気センサを固定する第２のケーシング部材と、
前記第２の磁気スケールおよび前記第２の磁気センサを覆う第２の磁気シールド部材をさらに備えることを特徴とする請求項２に記載の変位検出装置。
【請求項４】
レンズ鏡筒において、
固定鏡筒と、
光軸方向に移動可能なレンズ群と、
前記光軸を中心に回転するように手動操作可能なリング部材と、
前記光軸に平行な軸を中心に回転自在な出力軸と、
前記リング部材の回転を前記出力軸に伝達するギア部材と、
前記出力軸に固定され、前記第２の軸周りに異なる磁極を交互に着磁した着磁面を有する磁気スケールと、
前記磁気スケールの前記着磁面の磁気変化を検出する磁気センサと、
前記磁気スケールと前記磁気センサが所定の間隔となるように、前記磁気センサを固定するケーシング部材と、
前記磁気センサの出力に基づいて、前記レンズ群を前記光軸方向に移動させるモータと、を備えることを特徴とするレンズ鏡筒。
【請求項５】
撮像装置において、
固定鏡筒と、
光軸方向に移動可能なレンズ群と、
前記光軸を中心に回転するように手動操作可能なリング部材と、
前記光軸に平行な軸を中心に回転自在な出力軸と、
前記リング部材の回転を前記出力軸に伝達するギア部材と、
前記出力軸に固定され、前記第２の軸周りに異なる磁極を交互に着磁した着磁面を有する磁気スケールと、
前記磁気スケールの前記着磁面の磁気変化を検出する磁気センサと、
前記磁気スケールと前記磁気センサが所定の間隔となるように、前記磁気センサを固定するケーシング部材と、
前記磁気センサの出力に基づいて、前記レンズ群を前記光軸方向に移動させるモータと、
前記レンズ群を介して被写体像を撮像する撮像素子と、を備えることを特徴とする撮像装置。
【請求項６】
変位検出装置において、
第１の軸を中心に回転するように手動操作可能なリング部材と、
第２の軸を中心に回転自在な出力軸と、
前記出力軸に固定され、前記第２の軸周りに異なる磁極を交互に着磁した着磁面を有する磁気スケールと、
前記磁気スケールの前記着磁面の磁気変化を検出する磁気センサと、
前記リング部材の内径部に形成されたギアと噛合い、前記リング部材の回転を前記出力軸に伝達するギア部材と、を備えることを特徴とする変位検出装置。
【請求項７】
変位検出装置において、
第１の軸を中心に回転するように手動操作可能なリング部材と、
第２の軸を中心に回転自在な出力軸と、
前記リング部材の回転を前記出力軸に伝達するギア部材と
前記出力軸に固定され、前記第２の軸周りに異なる磁極を交互に着磁した着磁面を有する磁気スケールと、
前記磁気スケールの前記着磁面の磁気変化を検出する磁気センサと、
前記出力軸を軸受するとともに、前記磁気センサを固定するケーシング部材と、を備えることを特徴とする変位検出装置。
【請求項８】
請求項６または７に記載の変位検出装置を用いて前記第１の軸方向に移動可能なレンズ群の位置を検出するレンズ鏡筒。
【請求項９】
請求項６または７に記載の変位検出装置を用いて前記第１の軸方向に移動可能なレンズ群の位置を検出する撮像装置。
【手続補正３】
【補正対象書類名】明細書
【補正対象項目名】０００１
【補正方法】変更
【補正の内容】
【０００１】
【発明の属する技術分野】
本発明は、変位検出装置、レンズ鏡筒および撮像装置に関し、特に磁気センサを用いて移動体の変位を磁気的に検知する変位検出装置に関するものであり、例えばデジタルビデオ及びデジタルカメラに搭載されるレンズ鏡筒等に好適な変位検出機構に関するものである。
【手続補正４】
【補正対象書類名】明細書
【補正対象項目名】０００６
【補正方法】変更
【補正の内容】
【０００６】
そこで、本発明は、上記課題を解決するため、入力手段の回転方向の角分解能の向上、及び安定した出力特性を得ることが可能となる変位検出装置、レンズ鏡筒および撮像装置を提供することを目的とするものである。
【手続補正５】
【補正対象書類名】明細書
【補正対象項目名】０００７
【補正方法】変更
【補正の内容】
【０００７】
【課題を解決するための手段】
本発明は、上記課題を達成するために、次の（１）〜（９）のように構成した変位検出装置、レンズ鏡筒および撮像装置を提供するものである。
（１）変位検出装置において、
第１の軸を中心に回転するように手動操作可能なリング部材と、
第２の軸を中心に回転自在な出力軸と、
前記リング部材の回転を前記出力軸に伝達するギア部材と、
前記出力軸に固定され、前記第２の軸周りに異なる磁極を交互に着磁した着磁面を有する磁気スケールと、
前記磁気スケールの前記着磁面の磁気変化を検出する磁気センサと、
前記磁気スケールと前記磁気センサが所定の間隔となるように、前記磁気センサを固定するケーシング部材と、を備えることを特徴とする変位検出装置。
（２）前記磁気スケールおよび前記磁気センサを覆う磁気シールド部材をさらに備えることを特徴とする請求項１に記載の変位検出装置。
（３）前記第１の軸を中心に回転するように手動操作可能な第２のリング部材と、
第３の軸を中心に回転自在な第２の出力軸と、
前記第２のリング部材の回転を前記第２の出力軸に伝達する第２のギア部材と、
前記第２の出力軸に固定され、前記第３の軸周りに異なる磁極を交互に着磁した着磁面を有する第２の磁気スケールと、
前記第２の磁気スケールの前記着磁面の磁気変化を検出する第２の磁気センサと、
前記第２の磁気スケールと前記第２の磁気センサが所定の間隔となるように、前記第２の磁気センサを固定する第２のケーシング部材と、
前記第２の磁気スケールおよび前記第２の磁気センサを覆う第２の磁気シールド部材をさらに備えることを特徴とする請求項２に記載の変位検出装置。
（４）レンズ鏡筒において、
固定鏡筒と、
光軸方向に移動可能なレンズ群と、
前記光軸を中心に回転するように手動操作可能なリング部材と、
前記光軸に平行な軸を中心に回転自在な出力軸と、
前記リング部材の回転を前記出力軸に伝達するギア部材と、
前記出力軸に固定され、前記第２の軸周りに異なる磁極を交互に着磁した着磁面を有する磁気スケールと、
前記磁気スケールの前記着磁面の磁気変化を検出する磁気センサと、
前記磁気スケールと前記磁気センサが所定の間隔となるように、前記磁気センサを固定するケーシング部材と、
前記磁気センサの出力に基づいて、前記レンズ群を前記光軸方向に移動させるモータと、を備えることを特徴とするレンズ鏡筒。
（５）撮像装置において、
固定鏡筒と、
光軸方向に移動可能なレンズ群と、
前記光軸を中心に回転するように手動操作可能なリング部材と、
前記光軸に平行な軸を中心に回転自在な出力軸と、
前記リング部材の回転を前記出力軸に伝達するギア部材と、
前記出力軸に固定され、前記第２の軸周りに異なる磁極を交互に着磁した着磁面を有する磁気スケールと、
前記磁気スケールの前記着磁面の磁気変化を検出する磁気センサと、
前記磁気スケールと前記磁気センサが所定の間隔となるように、前記磁気センサを固定するケーシング部材と、
前記磁気センサの出力に基づいて、前記レンズ群を前記光軸方向に移動させるモータと、
前記レンズ群を介して被写体像を撮像する撮像素子と、を備えることを特徴とする撮像装置。
（６）変位検出装置において、
第１の軸を中心に回転するように手動操作可能なリング部材と、
第２の軸を中心に回転自在な出力軸と、
前記出力軸に固定され、前記第２の軸周りに異なる磁極を交互に着磁した着磁面を有する磁気スケールと、
前記磁気スケールの前記着磁面の磁気変化を検出する磁気センサと、
前記リング部材の内径部に形成されたギアと噛合い、前記リング部材の回転を前記出力軸に伝達するギア部材と、を備えることを特徴とする変位検出装置。
（７）変位検出装置において、
第１の軸を中心に回転するように手動操作可能なリング部材と、
第２の軸を中心に回転自在な出力軸と、
前記リング部材の回転を前記出力軸に伝達するギア部材と
前記出力軸に固定され、前記第２の軸周りに異なる磁極を交互に着磁した着磁面を有する磁気スケールと、
前記磁気スケールの前記着磁面の磁気変化を検出する磁気センサと、
前記出力軸を軸受するとともに、前記磁気センサを固定するケーシング部材と、を備えることを特徴とする変位検出装置。
（８）上記（６）または上記（７）に記載の変位検出装置を用いて前記第１の軸方向に移動可能なレンズ群の位置を検出するレンズ鏡筒。
（９）上記（６）または上記（７）に記載の変位検出装置を用いて前記第１の軸方向に移動可能なレンズ群の位置を検出する撮像装置。
【手続補正６】
【補正対象書類名】明細書
【補正対象項目名】００２１
【補正方法】変更
【補正の内容】
【００２１】
【発明の効果】
本発明によれば、入力手段の回転方向の角分解能の向上、及び安定した出力特性を得ることが可能となる変位検出装置、レンズ鏡筒および撮像装置を実現することができる。